(57)【要約】【課題】床下点検を行う際の準備作業が容易になるとともに、床下点検を行う作業者を玄関土間廻り部から床下空間に侵入させることを可能にする。【解決手段】床下点検口１は、玄関土間部２０と、玄関土間部２０から段上がり状に設けられた玄関床部３０と、上がり框３５と、上がり框３５と玄関土間部２０との間に設けられた壁部４０とで構成された玄関土間廻り部１００に設けられている。また、床下点検口１は、玄関土間部２０及び壁部４０に設けられた開口部７０に嵌め込んで固定する外枠２と、外枠２の内部に嵌め込まれる蓋体３とを含んでいる。【選択図】図２
2020002557.tif 000002
【特許請求の範囲】
【請求項１】
玄関出入口から連なるように設けられた玄関土間部と、前記玄関土間部から段上がり状に設けられた玄関床部と、前記玄関床部の前記玄関出入口側の端部に設けられた上がり框と、前記上がり框と前記玄関土間部との間に設けられた壁部とで構成された玄関土間廻り部に設けられる床下点検口において、
前記玄関土間部及び前記壁部の少なくともいずれか一方に設けられた、建物の床下空間と連通する開口部に嵌め込んで固定する外枠と、
前記外枠の内部に嵌め込まれる蓋体とを備えていることを特徴とする床下点検口。
【請求項２】
前記開口部が、前記玄関土間部から前記壁部に亘って形成され、縦断面においてＬ字形状を有しており、
前記蓋体は、前記玄関土間部に沿った水平部と、前記壁部に沿った垂直部とを有し、縦断面においてＬ字形状に形成されていることを特徴とする請求項１に記載の床下点検口。
【請求項３】
前記水平部の厚みが、前記垂直部の厚み以上であることを特徴とする請求項２に記載の床下点検口。
【請求項４】
前記水平部と前記垂直部とが分割可能に形成されていることを特徴とする請求項２又は３に記載の床下点検口。
【請求項５】
玄関出入口から連なるように設けられた玄関土間部と、前記玄関土間部から段上がり状に設けられた玄関床部と、前記玄関床部の前記玄関出入口側の端部に設けられた上がり框と、前記上がり框と前記玄関土間部との間に設けられた壁部とで構成された玄関土間廻り部の構造において、
前記玄関土間部及び前記壁部の少なくともいずれか一方に設けられた、建物の床下空間と連通する開口部に嵌め込んで固定する外枠と、前記外枠の内部に嵌め込まれる蓋体とで構成された床下点検口を備えていることを特徴とする玄関土間廻り部の構造。
【発明の詳細な説明】
【技術分野】
【０００１】
本発明は、建物の床下点検をするための作業者の侵入口となる床下点検口、及び、それを有する玄関土間廻り部の構造に関する。
【背景技術】
【０００２】
木造住宅等の建物の床下空間にはパイプ等の設備が設置されており、これら設備の点検を行うために、建物の室内の床には床下点検口が設置されている。例えば、特許文献１には、床の開口部に嵌め込まれて根太に固定される矩形状の外枠と、外枠の内部に嵌め込まれる蓋体とを備えており、蓋体を開放させることで室内から床下空間へ作業者が侵入可能な床下点検口について記載されている。
【先行技術文献】
【特許文献】
【０００３】
【特許文献１】特許第５８６３５００号公報
【発明の概要】
【発明が解決しようとする課題】
【０００４】
しかしながら、上記特許文献１に記載の床下点検口は、室内の床に設けられるものであるため、床下点検を行う際は、作業者が室内に上がり込む必要がある。このため、床の養生、室内の清掃や片付けなど床下点検のための準備作業が必要となり、点検作業者のみならず建物の持ち主にも負担がかかる。また、室内の床に床下点検口を設置した場合、当該点検口上に動かしにくい家具などを置くことができず、家具のレイアウトが制限される。さらに、パイプなどの床下設備の交換などを行う場合、長尺物を玄関から室内に搬入したり、床下空間から搬出したりするのが、非常に煩わしいという問題がある。
【０００５】
そこで、本発明の目的は、床下点検を行う際の準備作業が容易になるとともに、床下点検を行う作業者を玄関土間廻り部から床下空間に侵入させることが可能な床下点検口及び玄関土間廻り部の構造を提供することである。
【課題を解決するための手段】
【０００６】
本発明の床下点検口は、玄関出入口から連なるように設けられた玄関土間部と、前記玄関土間部から段上がり状に設けられた玄関床部と、前記玄関床部の前記玄関出入口側の端部に設けられた上がり框と、前記上がり框と前記玄関土間部との間に設けられた壁部とで構成された玄関土間廻り部に設けられる床下点検口において、前記玄関土間部及び前記壁部の少なくともいずれか一方に設けられた、建物の床下空間と連通する開口部に嵌め込んで固定する外枠と、前記外枠の内部に嵌め込まれる蓋体とを備えている。
【０００７】
これによると、建物の床下空間を点検するための床下点検口を、玄関土間廻り部に形成された開口部に設けることが可能となる。このため、床下点検口が、建物の室内の床に設けられるものと比して、床下点検を行う際の準備作業などが容易になるとともに、床下点検を行う作業者を玄関土間廻り部から床下空間に侵入させることが可能となる。また、床下点検口が玄関土間廻り部にあるため、床下点検時における、床下空間への資材などの搬入及び搬出を容易に行うことが可能となる。
【０００８】
本発明において、前記開口部が、前記玄関土間部から前記壁部に亘って形成され、縦断面においてＬ字形状を有しており、前記蓋体は、前記玄関土間部に沿った水平部と、前記壁部に沿った垂直部とを有し、縦断面においてＬ字形状に形成されていることが好ましい。これにより、床下点検口が玄関土間部及び壁部のいずれかにだけ形成されているものよりも、床下空間に侵入しやすくなる。
【０００９】
また、本発明において、前記水平部の厚みが、前記垂直部の厚み以上であることが好ましい。これにより、水平部の強度を高くすることが可能となる。
【００１０】
また、本発明において、前記水平部と前記垂直部とが分割可能に形成されていることが好ましい。これにより、蓋体を外枠に嵌め込みやすくなる。
【００１１】
本発明の玄関土間廻り部の構造は、玄関出入口から連なるように設けられた玄関土間部と、前記玄関土間部から段上がり状に設けられた玄関床部と、前記玄関床部の前記玄関出入口側の端部に設けられた上がり框と、前記上がり框と前記玄関土間部との間に設けられた壁部とで構成された玄関土間廻り部の構造において、前記玄関土間部及び前記壁部の少なくともいずれか一方に設けられた、建物の床下空間と連通する開口部に嵌め込んで固定する外枠と、前記外枠の内部に嵌め込まれる蓋体とで構成された床下点検口を備えている。
【００１２】
これによると、建物の床下空間を点検するための床下点検口が、玄関土間廻り部に設けられた構造となる。このため、床下点検口が、建物の室内の床に設けられるものと比して、床下点検を行う際の準備作業などが容易になるとともに、床下点検を行う作業者を玄関土間廻り部から床下空間に侵入させることが可能となる。また、床下点検口が玄関土間廻り部にあるため、床下点検時における、床下空間への資材などの搬入及び搬出を容易に行うことが可能となる。
【発明の効果】
【００１３】
本発明の床下点検口及び玄関土間廻り部の構造は、床下点検を行う際の準備作業などが容易になるとともに、床下点検を行う作業者を玄関土間廻り部から床下空間に侵入させることが可能となる。また、床下点検口が玄関土間廻り部にあるため、床下点検時における、床下空間への資材などの搬入及び搬出を容易に行うことが可能となる。
【図面の簡単な説明】
【００１４】
【図１】本発明の一実施形態に係る玄関土間廻り部の構造を示す部分斜視図である。
【図２】図１に示すII−II線に沿った断面図である。
【図３】図１に示す床下点検口の外枠の斜視図である。
【図４】図１に示す床下点検口の蓋体の斜視図である。
【図５】床下点検口の蓋体の変形例を示す斜視図である。
【発明を実施するための形態】
【００１５】
以下、本発明の一実施形態に係る玄関土間廻り部１００の構造について、図１〜図４を参照しつつ以下に説明する。玄関土間廻り部１００は、玄関土間部２０と、玄関床部３０と、上がり框３５と、壁部４０と、床下点検口１とを含んで構成されている。玄関土間部２０は、玄関出入口２５から内側に連なるように設けられている。なお、図１及び図２においては、玄関出入口２５に設けられる扉部材（例えば、ドアなど）を省略して描いている。また、玄関土間部２０は、図２に示すように、ベタ基礎５０上に配置された土間コンクリート２１と、土間コンクリート２１上に配置された複数のタイル２２とで構成されており、略矩形平面形状を有している。なお、図１に示す一水平方向である内外方向Ａ、内外方向Ａと直交し玄関出入口２５から見たときの左右方向Ｂ、及び、内外方向Ａ及び左右方向Ｂに直交する上下方向Ｃを基準として、以下に説明する。また、他の図面においても、図１に示す方向を基準として示す。
【００１６】
また、玄関土間部２０には、図１に示すように、切り欠き部２３が形成されている。切り欠き部２３は、略矩形平面形状を有しており、玄関土間部２０の内外方向Ａの中央から内寄りに位置し玄関土間部２０の左右方向Ｂの中央に位置している。また、切り欠き部２３は、図２に示すように、玄関土間部２０を上下方向Ｃに貫通して形成されている。また、ベタ基礎５０には、図２に示すように、切り欠き部２３と上下方向Ｃに対向する部分に凹部５１が形成されている。この凹部５１は、ベタ基礎５０の切り欠き部２３と上下方向Ｃに対向する位置から内側に延在し、ベタ基礎５０の立ち上がり部５２の一部を欠設するように形成されている。そして、凹部５１は、玄関床部３０の下方の床下空間６０と連通している。つまり、凹部５１は、切り欠き部２３を含む後述の開口部７０と床下空間６０とを連通させている。また、凹部５１のサイズは、少なくとも１人の作業者が通過可能な大きさに形成されている。なお、凹部５１の立ち上がり部５２に形成された部分は、壁部４０に形成された分断部４３（後述する）と内外方向Ａに対向している。
【００１７】
上がり框３５は、図２に示すように、ベタ基礎５０の立ち上がり部５２上に基礎パッキン５３を介して配置された土台５４に固定されている。上がり框３５は、左右方向Ｂに長尺に延在した角材から構成されている。また、上がり框３５の内側下角部には、土台５４の外側上角部がちょうど嵌るような切り欠き部３５ａが形成されている。そして、上がり框３５は、切り欠き部３５ａに土台５４の外側上角部が嵌め込まれた状態で、土台５４に固定される。また、上がり框３５は、玄関床部３０の外側（玄関出入口２５側）の端部に設けられている。
【００１８】
玄関床部３０は、図１及び図２に示すように、土台５４上に固定された複数の根太５５と、これら根太５５上に固定された平板３１とで構成されており、玄関土間部２０から段上がり状に設けられている。なお、図２には、１つの根太５５だけが示されているが、左右方向Ｂに複数の根太５５が並べて配置されている。また、玄関床部３０の下方であって、玄関床部３０とベタ基礎５０との間には、床下空間６０が形成されている。床下空間６０には、建物の配管（不図示）などが配置されている。
【００１９】
壁部４０は、図１及び図２に示すように、上がり框３５と玄関土間部２０との間に設けられている。また、壁部４０は、図１に示すように、右壁部４０ａと、左壁部４０ｂと、分断部４３と、連結部４４とを有している。右壁部４０ａ及び左壁部４０ｂは、分断部４３によって左右に分けられており、それぞれ、ベタ基礎５０の立ち上がり部５２の外側側面５２ａに形成されたモルタル４１と、モルタル４１上に配置されたタイル４２とで構成されている。
【００２０】
分断部４３は、図２に示すように、壁部４０を内外方向Ａに貫通している。また、分断部４３は、立ち上がり部５２部分に形成された凹部５１と内外方向Ａに対向している。連結部４４は、立ち上がり部５２に形成された凹部５１部分に配置され且つ土台５４の下面に固定された取り付け部材４５に、固定されており、分断部４３の上方部分を埋めている。連結部４４は、下地材４４ａと、仕上げ材４４ｂとを有する。下地材４４ａは、図２に示すように、取り付け部材４５及び土台５４に固定されている。仕上げ材４４ｂは、下地材４４ａの表面に形成されている。
【００２１】
玄関土間部２０及び壁部４０には、図１に示すように、分断部４３と切り欠き部２３とで構成された開口部７０が形成されている。開口部７０は、図１に示すように、分断部４３の下方部分と切り欠き部２３の内側部分とが連続して繋がることで構成されている。開口部７０は、図２に示すように、玄関土間部２０から壁部４０に亘って形成され、縦断面において、Ｌ字形状を有している。
【００２２】
床下点検口１は、開口部７０に取り付けられ、開口部７０を開閉可能に構成するものであり、外枠２と、外枠２内にちょうど嵌合可能であり且つ着脱可能な蓋体３とを有している。外枠２は、図３に示すように、第１枠部２ａと、第２枠部２ｂとを有する。第１枠部２ａは、水平に配置され且つ内方に向かって開いたＵ字形状の部分枠２ａ１と、垂直に配置され且つ下方に向かって開いたＵ字形状の部分枠２ａ２とが互いに繋がって構成されている。第２枠部２ｂも、水平に配置され且つ内方に向かって開いたＵ字形状の部分枠２ｂ１と、垂直に配置され且つ下方に向かって開いたＵ字形状の部分枠２ｂ２とが互いに繋がって構成されている。第１枠部２ａと第２枠部２ｂは、同様の外形形状を有している。第２枠部２ｂは、第１枠部２ａよりも一回り小さいサイズに形成されている。そして、第１枠部２ａと第２枠部２ｂは、第１枠部２ａの内周縁と第２枠部２ｂの外周縁とが繋がるようにして、一体的に形成されている。また、外枠２は、左右方向Ｂから見たときに、略Ｌ字形状に形成されている。第１枠部２ａは、開口部７０にちょうど嵌るサイズに形成されており、第２枠部２ｂは凹部５１にちょうど嵌るサイズに形成されている。なお、ベタ基礎５０には、図２に示すように、開口部７０から凹部５１にかけて段差５８が形成されている。
【００２３】
蓋体３は、図４に示すように、水平部３ａと、水平部３ａに対して垂直に立設された垂直部３ｂとを有している。また、蓋体３は、図２に示すように、縦断面において、Ｌ字形状を有している。蓋体３は、図４に示すように、水平部３ａと垂直部３ｂとを構成するための箱部４を有している。箱部４は、内部にモルタル５を充填可能な凹部４ａを有している。この凹部４ａにモルタル５が充填され、そのモルタル５上にタイル６，７が設置されることで、蓋体３が構成されている。水平部３ａは、玄関土間部２０に沿って水平に形成されており、矩形平面形状を有する。また、水平部３ａは、部分枠２ａ１内であって部分枠２ｂ１の上面上に配置可能な外形サイズを有している。垂直部３ｂは、壁部４０に沿って形成されており、矩形平面形状を有する。また、垂直部３ｂは、部分枠２ａ２内であって部分枠２ｂ２の外側面上に配置可能な外形サイズを有している。水平部３ａの厚みは、図２に示すように、垂直部３ｂよりも分厚く形成されている。これにより、水平部３ａの強度を高くすることが可能となる。
【００２４】
このような外枠２が開口部７０に固定され、外枠２に蓋体３が嵌め込まれることで、玄関土間廻り部１００の床下点検口１が構成される。このように玄関土間廻り部１００に床下空間６０を点検するための床下点検口１が形成されているため、作業者が蓋体３を外枠２から取り外すことで、作業者が床下空間６０へと侵入可能となる。こうして、床下空間６０を点検することが可能となる。なお、床下点検後は、取り外した蓋体３を外枠２に嵌合させて取り付ける。こうして、玄関土間廻り部１００から床下空間６０への入り口を閉じることができる。また、蓋体３は、玄関土間部２０及び壁部４０とほぼ同様に、モルタル５上にタイル６，７が配置されている。このため、蓋体３が外枠２に嵌め込まれている状態において、その外観が維持される。
【００２５】
以上に述べたように、本実施形態の玄関土間廻り部１００の構造によると、建物の床下空間６０を点検するための床下点検口１が、玄関土間廻り部１００に設けられた構造となる。より詳細には、本実施形態の床下点検口１は、玄関土間部２０及び壁部４０に亘って形成された開口部７０に設けられる。このため、床下点検口１が、建物の室内の床に設けられるものと比して、床下点検を行う際の準備作業などが容易になる。つまり、床下点検口１が室内の床にないため、床下点検口上に家具などを含む重量物の荷物を退ける必要がなくなり、準備作業が、靴などの軽量物の荷物を退ける程度の容易な作業となる。また、床下点検を行う作業者を玄関から床下空間６０に侵入させることが可能となる。また、床下点検口１が玄関土間廻り部１００にあるため、床下点検時において、資材などを一旦室内に搬入、又は、室内から搬出する必要もなくなり、床下空間６０への資材などの搬入及び搬出を玄関先から容易に行うことが可能となる。
【００２６】
また、開口部７０が玄関土間部２０から壁部４０に亘って形成され、縦断面においてＬ字形状を有し、蓋体３が、水平部３ａ及び垂直部３ｂを有し、縦断面においてＬ字形状を有している。これにより、床下点検口１が玄関土間部２０及び壁部４０のいずれかにだけ形成されているものよりも、床下空間６０に侵入しやすくなる。
【００２７】
上述の実施形態においては、蓋体３の水平部３ａと垂直部３ｂとが一体的に形成されているが、図５に示すように、蓋体２０３は、分割可能な水平部２０３ａと垂直部２０３ｂとで構成されていてもよい。水平部２０３ａは、内外方向Ａに長尺な矩形平面形状を有する箱部２０４ａを有する。箱部２０４ａには、上方に開口した凹部が形成されており、その凹部内にモルタル２０５ａが充填され、モルタル２０５ａ上にタイル２０６が配置されている。こうして、水平部２０３ａが構成されている。垂直部２０３ｂは、左右方向Ｂに長尺な矩形平面形状を有する箱部２０４ｂを有する。箱部２０４ｂには、内外方向Ａの外に向かって開口した凹部が形成されており、その凹部内にモルタル２０５ｂが充填され、モルタル２０５ｂ上にタイル２０７が配置されている。こうして、垂直部２０３ｂが構成されている。
【００２８】
このような蓋体２０３においては、外枠２に取り付ける際は、まず、水平部２０３ａを取り付け、その後、垂直部２０３ｂを取り付ける。なお、蓋体２０３を外枠２から取り外す際は、取り付けるときと逆動作で行われる。このように蓋体２０３が２つに分割されていることで、水平部２０３ａ及び垂直部２０３ｂの個別の重量が上述の蓋体３よりも軽量となるため、蓋体２０３を外枠２に嵌め込みやすくなる。
【００２９】
以上、本発明の好適な実施形態について説明したが、本発明は上述の実施形態に限られるものではなく、特許請求の範囲に記載した限りにおいて様々な変更が可能なものである。例えば、上述の実施形態においては、開口部７０が玄関土間部２０から壁部４０に亘って形成されているが、開口部が切り欠き部２３及び分断部４３のいずれか一方のみで形成されていてもよい。この場合、切り欠き部２３及び分断部４３の一方に対応する開口部に、当該開口部の形状に合わせて形成された床下点検口が設けられておればよい。この場合、床下点検口の蓋体が、水平部、及び、垂直部のいずれかから構成されておればよい。なお、ベタ基礎５０には、床下点検口の蓋体が取り外されている状態において、外部と床下空間６０とをつなぎ、作業者が通過可能な連絡孔部（凹部５１の少なくとも一部からなる部分）が形成されておればよい。
【００３０】
また、上述の実施形態における蓋体３は、箱部４にモルタル５が充填され、その上にタイル６，７が設置されて構成されているが、必要な強度を有し、外枠２に嵌合可能であれば、どのような材質から構成されていてもよい。
【００３１】
また、上述の実施形態における玄関土間部２０のタイル２２、壁部４０のタイル４２、及び、蓋体３，２０３のタイル６，７，２０６，２０７のサイズを小さくして、多数設けてもよい。要するに、タイルサイズはどのような大きさでもよく、適宜選定して採用すればよい。
【００３２】
また、外枠２の蓋体３，２０３と対向する面部分（例えば、部分枠２ｂ１の上面及び部分枠２ｂ２の内外方向Ａの外側面）、及び、蓋体３，２０３の外周面であって外枠２と対向する面部分（例えば、水平部３ａ，２０３ａの下面の周縁部分、及び、垂直部３ｂ，２０３ｂの内外方向Ａの内側面の周縁部分）の少なくとも一方に、環状のシール材（例えば、パッキン）を設けていてもよい。こうすることで、床下点検口１の気密性が向上する。
【符号の説明】
【００３３】
１  床下点検口
２  外枠
３  蓋体
３ａ  水平部
３ｂ  垂直部
２０  玄関土間部
２５  玄関出入口
３０  玄関床部
３５  上がり框
４０  壁部
６０  床下空間
１００  玄関土間廻り部
【図１】
2020002557.tif 000003
【図２】
2020002557.tif 000004
【図３】
2020002557.tif 000005
【図４】
2020002557.tif 000006
【図５】
2020002557.tif 000007